(57)【要約】【課題】リンク伝送速度がより高くとれるよう複数の電源から電源を選択する。【解決手段】第１電源回路１０７は、パーソナルコンピュータ２０１からＵＳＢインタフェースを介して給電される電源から装置内部電源を生成し、第２電源回路１０８は、主電源１１０から給電される電源から装置内部電源を生成する。デジタル信号処理部１０２は、第１電源回路１０７による装置内部電源を使用してＡＤＳＬ回線１５０上でリンク接続が確立されたときのリンク伝送速度と第２電源回路１０８による装置内部電源を使用してＡＤＳＬ回線１５０上でリンク接続が確立されたときのリンク伝送速度とを比較し、より高いリンク伝送速度でリンク接続ができるよう第１電源回路１０７による装置内部電源と主電源１１０による装置内部電源とのうちのいずれかを選択する指示を電源選択部１０９に送る。【選択図】      図１
2004289258.tif 000002
【特許請求の範囲】
【請求項１】
コンピュータを接続し、このコンピュータを交換機にインタフェースするインタフェース装置であって、
前記コンピュータから給電される電源から、前記インタフェース装置の内部で使用する装置内電源を生成する第１電源回路と、
商用電源である主電源から、前記インタフェース装置の内部で使用する装置内電源を生成する第２電源回路と、
前記第１電源回路からの装置内電源と前記第２電源回路からの装置内電源との内のいずれかの装置内電源を選択し、この選択された装置内電源を前記インタフェース装置内に供給する電源選択部とを有することを特徴とするインタフェース装置。
【請求項２】
コンピュータを接続し、このコンピュータを交換機にインタフェースするインタフェース装置であって、
前記コンピュータから給電される電源から、前記インタフェース装置の内部で使用する装置内電源を生成する第１電源回路と、
商用電源である主電源から、前記インタフェース装置の内部で使用する装置内電源を生成する第２電源回路と、
前記第１電源回路からの装置内電源と前記第２電源回路からの装置内電源との内のいずれかの装置内電源を選択し、この選択された装置内電源を前記インタフェース装置内に供給する電源選択部と、
前記第１電源回路からの装置内電源と前記第２電源回路からの装置内電源との内のいずれかの装置内電源が選択されて供給されているとき、前記交換機間とのリンク接続を確立する信号処理部とを有することを特徴とするインタフェース装置。
【請求項３】
コンピュータを接続し、このコンピュータを交換機にインタフェースするインタフェース装置であって、
前記コンピュータから給電される電源から、前記インタフェース装置の内部で使用する装置内電源を生成する第１電源回路と、
商用電源である主電源から、前記インタフェース装置の内部で使用する装置内電源を生成する第２電源回路と、
前記第１電源回路からの装置内電源と前記第２電源回路からの装置内電源との内のいずれかの装置内電源を選択し、この選択された装置内電源を前記インタフェース装置内に供給する電源選択部と、
前記第１電源回路からの装置内電源と前記第２電源回路からの装置内電源との内のいずれかの装置内電源が選択されて供給されているとき、前記交換機間とのリンク接続を確立する信号処理部と、
前記信号処理部が、前記第１電源回路からの装置内電源が選択されて供給され、前記交換機間とのリンク接続を確立するとき、リンクの第１伝送速度を記憶するとともに、前記信号処理部が、前記第２電源回路からの装置内電源が選択されて供給され、前記交換機間とのリンク接続を確立するとき、リンクの第２伝送速度を記憶する記憶部とを備え、
前記信号処理部は、前記記憶部に記憶されている前記第１伝送速度と前記第２伝送速度とを比較し、より高い伝送速度でリンク接続ができるよう前記第１電源回路からの装置内電源と前記第２電源回路からの装置内電源との内のいずれかの装置内電源を選択する選択指示を前記電源選択部に送る手段を有し、
前記電源選択部は、前記信号処理部からの選択指示に基づいて、前記第１電源回路からの装置内電源と前記第２電源回路からの装置内電源との内のいずれかの装置内電源を選択する手段を有することを特徴とするインタフェース装置。
【請求項４】
通信端末用のコンピュータと、前記コンピュータをＵＳＢケーブルで接続する第１インタフェース装置と、交換機に備わり、前記第１インタフェース装置をＡＤＳＬ回線で接続する第２インタフェース装置とを有して構成されるインタフェースシステムであって、
前記コンピュータは、前記ＵＳＢケーブルを介して、前記第１インタフェース装置に電源を給電する手段を有し、
前記第１インタフェース装置は、
前記コンピュータから、前記ＵＳＢケーブルを介して、給電される電源を後記第１電源回路に供給するパソコンインタフェース部と、
前記パソコンインタフェース部を介して前記コンピュータから給電される電源から、装置内電源を生成する第１電源回路と、
商用電源である主電源から、装置内電源を生成する第２電源回路と、
前記第１電源回路からの装置内電源と前記第２電源回路からの装置内電源との内のいずれかの装置内電源を選択し、この選択された装置内電源を自装置内に供給する電源選択部を有することを特徴とするインタフェースシステム。
【請求項５】
通信端末用のコンピュータと、前記コンピュータをＵＳＢケーブルで接続する第１インタフェース装置と、交換機に備わり、前記第１インタフェース装置をＡＤＳＬ回線で接続する第２インタフェース装置とを有して構成されるインタフェースシステムであって、
前記コンピュータは、前記ＵＳＢケーブルを介して、前記第１インタフェース装置に電源を給電する手段を有し、
前記第２インタフェース装置は、前記ＡＤＳＬ回線を介して前記第１インタフェース装置と信号を送受信する手段を有し、
前記第１インタフェース装置は、
前記コンピュータから、前記ＵＳＢケーブルを介して、給電される電源を後記第１電源回路に供給するパソコンインタフェース部と、
前記パソコンインタフェース部を介して前記コンピュータから給電される電源から、装置内電源を生成する第１電源回路と、
商用電源である主電源から、装置内電源を生成する第２電源回路と、
前記第１電源回路からの装置内電源と前記第２電源回路からの装置内電源との内のいずれかの装置内電源を選択し、この選択された装置内電源を自装置内に供給する電源選択部と、
前記第１電源回路と前記第２電源回路と前記電源選択部の各々の状態を調べ、前記第１電源回路からの装置内電源と前記第２電源回路からの装置内電源との内のいずれかの装置内電源が選択されて供給されていることを認識し、前記ＡＤＳＬ回線を介して前記第２インタフェース装置とネゴシエーション信号をやり取りし、前記ＡＤＳＬ回線上に前記第２インタフェース装置とのリンク接続を確立する信号処理部を有することを特徴とするインタフェースシステム。
【請求項６】
通信端末用のコンピュータと、前記コンピュータをＵＳＢケーブルで接続する第１インタフェース装置と、交換機に備わり、前記第１インタフェース装置をＡＤＳＬ回線で接続する第２インタフェース装置とを有して構成されるインタフェースシステムであって、
前記コンピュータは、前記ＵＳＢケーブルを介して、前記第１インタフェース装置に電源を給電する手段を有し、
前記第２インタフェース装置は、前記ＡＤＳＬ回線を介して前記第１インタフェース装置と信号を送受信する手段を有し、
前記第１インタフェース装置は、
前記コンピュータから、前記ＵＳＢケーブルを介して、給電される電源を後記第１電源回路に供給するパソコンインタフェース部と、
前記パソコンインタフェース部を介して前記コンピュータから給電される電源から、装置内電源を生成する第１電源回路と、
商用電源である主電源から、装置内電源を生成する第２電源回路と、
前記第１電源回路からの装置内電源と前記第２電源回路からの装置内電源との内のいずれかの装置内電源を選択し、この選択された装置内電源を自装置内に供給する電源選択部と、
前記第１電源回路と前記第２電源回路と前記電源選択部の各々の状態を調べ、前記第１電源回路からの装置内電源と前記第２電源回路からの装置内電源との内のいずれかの装置内電源が選択されて供給されていることを認識し、前記ＡＤＳＬ回線を介して前記第２インタフェース装置とネゴシエーション信号をやり取りし、前記ＡＤＳＬ回線上に前記第２インタフェース装置とのリンク接続を確立する信号処理部と、
前記信号処理部が、前記第１電源回路と前記第２電源回路と前記電源選択部の各々の状態を調べ、前記第１電源回路からの装置内電源が選択され供給されていることを認識し、前記第２インタフェース装置とのリンク接続を確立するとき、リンクの第１伝送速度を記憶し、前記信号処理部が、前記第１電源回路と前記第２電源回路と前記電源選択部の各々の状態を調べ、前記第２電源回路からの装置内電源が選択され供給されていることを認識し、前記第２インタフェース装置とのリンク接続を確立するとき、リンクの第２伝送速度を記憶する記憶部とを備え、前記信号処理部は、前記記憶部に記憶されている前記第１伝送速度と前記第２伝送速度とを比較し、より高い伝送速度でリンク接続ができるよう前記第１電源回路からの装置内電源と前記第２電源回路からの装置内電源との内のいずれかの装置内電源を選択する選択指示を前記電源選択部に送る手段を有し、
前記電源選択部は、前記信号処理部からの選択指示に基づいて、前記第１電源回路からの装置内電源と前記第２電源回路からの装置内電源との内のいずれかの装置内電源を選択する手段を有することを特徴とするインタフェースシステム。
【発明の詳細な説明】
【０００１】
【発明の属する技術分野】
本発明は、パーソナルコンピュータを交換機にインタフェースするインタフェース装置とインタフェースシステムに関し、特に、このインタフェース装置への電源供給に関する。
【０００２】
【従来の技術】
従来、パーソナルコンピュータを収容し、このパーソナルコンピュータを交換機にインタフェースするインタフェース装置は、ＵＳＢ（Ｕｎｉｖｅｒｓａｌ  Ｓｅｒｉａｌ  Ｂｕｓ）インタフェースにより、パーソナルコンピュータから電源が供給されている。
【０００３】
【発明が解決しようとする課題】
しかしながら、パーソナルコンピュータ動作時の高周波ノイズや電源系のスイッチングノイズが、ＵＳＢインタフェースを介して、インタフェース装置の電源回路に回り込み、これらのノイズがインタフェース装置と交換機間のリンクの伝送速度を制限している。
【０００４】
したがって、リンクの伝送速度は、ユーザが使用しているパーソナルコンピュータの伝送速度に依存し、ユーザ毎に安定した伝送速度を期待できないと言った問題があった。
【０００５】
特に、ＡＤＳＬ（非対称デジタル加入者線）で交換機とインタフェースするインタフェース装置では、交換機とリンクを接続する時のリンク伝送速度が、これらのノイズにより制限され、低下するという課題を有する。
【０００６】
また、インタフェース装置は、パーソナルコンピュータから電源が供給されるため、インタフェース装置単体で電源を投入することができない。このため、保守時に、パーソナルコンピュータとインタフェース装置とを切り分けることができず、保守に時間がかかるという課題を有する。
【０００７】
この問題を解決する１つとして、複数の電源から優先順位により選択してインタフェース回路に電源を供給する技術が開示されている（例えば、特許文献１）。
【０００８】
【特許文献１】
特開平２００１−１２５６８６号公報（頁３〜４、図）
本発明の目的は、従来のこの様な課題を解決し、リンク伝送速度がより高くとれるよう複数の電源から選択して電源を供給する技術を提供することにある。
【０００９】
【課題を解決するための手段】
本発明のインタフェース装置は、コンピュータを接続し、このコンピュータを交換機にインタフェースするインタフェース装置であって、
前記コンピュータから給電される電源から、前記インタフェース装置の内部で使用する装置内電源を生成する第１電源回路と、
商用電源である主電源から、前記インタフェース装置の内部で使用する装置内電源を生成する第２電源回路と、
前記第１電源回路からの装置内電源と前記第２電源回路からの装置内電源との内のいずれかの装置内電源を選択し、この選択された装置内電源を前記インタフェース装置内に供給する電源選択部とを有することを特徴とする。
【００１０】
また、本発明のインタフェース装置は、コンピュータを接続し、このコンピュータを交換機にインタフェースするインタフェース装置であって、
前記コンピュータから給電される電源から、前記インタフェース装置の内部で使用する装置内電源を生成する第１電源回路と、
商用電源である主電源から、前記インタフェース装置の内部で使用する装置内電源を生成する第２電源回路と、
前記第１電源回路からの装置内電源と前記第２電源回路からの装置内電源との内のいずれかの装置内電源を選択し、この選択された装置内電源を前記インタフェース装置内に供給する電源選択部と、
前記第１電源回路からの装置内電源と前記第２電源回路からの装置内電源との内のいずれかの装置内電源が選択されて供給されているとき、前記交換機間とのリンク接続を確立する信号処理部とを有することを特徴とする。
【００１１】
さらに、本発明のインタフェース装置は、コンピュータを接続し、このコンピュータを交換機にインタフェースするインタフェース装置であって、
前記コンピュータから給電される電源から、前記インタフェース装置の内部で使用する装置内電源を生成する第１電源回路と、
商用電源である主電源から、前記インタフェース装置の内部で使用する装置内電源を生成する第２電源回路と、
前記第１電源回路からの装置内電源と前記第２電源回路からの装置内電源との内のいずれかの装置内電源を選択し、この選択された装置内電源を前記インタフェース装置内に供給する電源選択部と、
前記第１電源回路からの装置内電源と前記第２電源回路からの装置内電源との内のいずれかの装置内電源が選択されて供給されているとき、前記交換機間とのリンク接続を確立する信号処理部と、
前記信号処理部が、前記第１電源回路からの装置内電源が選択されて供給され、前記交換機間とのリンク接続を確立するとき、リンクの第１伝送速度を記憶するとともに、前記信号処理部が、前記第２電源回路からの装置内電源が選択されて供給され、前記交換機間とのリンク接続を確立するとき、リンクの第２伝送速度を記憶する記憶部とを備え、
前記信号処理部は、前記記憶部に記憶されている前記第１伝送速度と前記第２伝送速度とを比較し、より高い伝送速度でリンク接続ができるよう前記第１電源回路からの装置内電源と前記第２電源回路からの装置内電源との内のいずれかの装置内電源を選択する選択指示を前記電源選択部に送る手段を有し、
前記電源選択部は、前記信号処理部からの選択指示に基づいて、前記第１電源回路からの装置内電源と前記第２電源回路からの装置内電源との内のいずれかの装置内電源を選択する手段を有することを特徴とする。
【００１２】
また、本発明のインタフェースシステムは、通信端末用のコンピュータと、前記コンピュータをＵＳＢケーブルで接続する第１インタフェース装置と、交換機に備わり、前記第１インタフェース装置をＡＤＳＬ回線で接続する第２インタフェース装置とを有して構成されるインタフェースシステムであって、
前記コンピュータは、前記ＵＳＢケーブルを介して、前記第１インタフェース装置に電源を給電する手段を有し、
前記第１インタフェース装置は、
前記コンピュータから、前記ＵＳＢケーブルを介して、給電される電源を後記第１電源回路に供給するパソコンインタフェース部と、
前記パソコンインタフェース部を介して前記コンピュータから給電される電源から、装置内電源を生成する第１電源回路と、
商用電源である主電源から、装置内電源を生成する第２電源回路と、
前記第１電源回路からの装置内電源と前記第２電源回路からの装置内電源との内のいずれかの装置内電源を選択し、この選択された装置内電源を自装置内に供給する電源選択部を有することを特徴とする。
【００１３】
さらに、本発明のインタフェースシステムは、通信端末用のコンピュータと、前記コンピュータをＵＳＢケーブルで接続する第１インタフェース装置と、交換機に備わり、前記第１インタフェース装置をＡＤＳＬ回線で接続する第２インタフェース装置とを有して構成されるインタフェースシステムであって、
前記コンピュータは、前記ＵＳＢケーブルを介して、前記第１インタフェース装置に電源を給電する手段を有し、
前記第２インタフェース装置は、前記ＡＤＳＬ回線を介して前記第１インタフェース装置と信号を送受信する手段を有し、
前記第１インタフェース装置は、
前記コンピュータから、前記ＵＳＢケーブルを介して、給電される電源を後記第１電源回路に供給するパソコンインタフェース部と、
前記パソコンインタフェース部を介して前記コンピュータから給電される電源から、装置内電源を生成する第１電源回路と、
商用電源である主電源から、装置内電源を生成する第２電源回路と、
前記第１電源回路からの装置内電源と前記第２電源回路からの装置内電源との内のいずれかの装置内電源を選択し、この選択された装置内電源を自装置内に供給する電源選択部と、
前記第１電源回路と前記第２電源回路と前記電源選択部の各々の状態を調べ、前記第１電源回路からの装置内電源と前記第２電源回路からの装置内電源との内のいずれかの装置内電源が選択されて供給されていることを認識し、前記ＡＤＳＬ回線を介して前記第２インタフェース装置とネゴシエーション信号をやり取りし、前記ＡＤＳＬ回線上に前記第２インタフェース装置とのリンク接続を確立する信号処理部を有することを特徴とする。
【００１４】
また、本発明のインタフェースシステムは、通信端末用のコンピュータと、前記コンピュータをＵＳＢケーブルで接続する第１インタフェース装置と、交換機に備わり、前記第１インタフェース装置をＡＤＳＬ回線で接続する第２インタフェース装置とを有して構成されるインタフェースシステムであって、
前記コンピュータは、前記ＵＳＢケーブルを介して、前記第１インタフェース装置に電源を給電する手段を有し、
前記第２インタフェース装置は、前記ＡＤＳＬ回線を介して前記第１インタフェース装置と信号を送受信する手段を有し、
前記第１インタフェース装置は、
前記コンピュータから、前記ＵＳＢケーブルを介して、給電される電源を後記第１電源回路に供給するパソコンインタフェース部と、
前記パソコンインタフェース部を介して前記コンピュータから給電される電源から、装置内電源を生成する第１電源回路と、
商用電源である主電源から、装置内電源を生成する第２電源回路と、
前記第１電源回路からの装置内電源と前記第２電源回路からの装置内電源との内のいずれかの装置内電源を選択し、この選択された装置内電源を自装置内に供給する電源選択部と、
前記第１電源回路と前記第２電源回路と前記電源選択部の各々の状態を調べ、前記第１電源回路からの装置内電源と前記第２電源回路からの装置内電源との内のいずれかの装置内電源が選択されて供給されていることを認識し、前記ＡＤＳＬ回線を介して前記第２インタフェース装置とネゴシエーション信号をやり取りし、前記ＡＤＳＬ回線上に前記第２インタフェース装置とのリンク接続を確立する信号処理部と、
前記信号処理部が、前記第１電源回路と前記第２電源回路と前記電源選択部の各々の状態を調べ、前記第１電源回路からの装置内電源が選択され供給されていることを認識し、前記第２インタフェース装置とのリンク接続を確立するとき、リンクの第１伝送速度を記憶し、前記信号処理部が、前記第１電源回路と前記第２電源回路と前記電源選択部の各々の状態を調べ、前記第２電源回路からの装置内電源が選択され供給されていることを認識し、前記第２インタフェース装置とのリンク接続を確立するとき、リンクの第２伝送速度を記憶する記憶部とを備え、前記信号処理部は、前記記憶部に記憶されている前記第１伝送速度と前記第２伝送速度とを比較し、より高い伝送速度でリンク接続ができるよう前記第１電源回路からの装置内電源と前記第２電源回路からの装置内電源との内のいずれかの装置内電源を選択する選択指示を前記電源選択部に送る手段を有し、
前記電源選択部は、前記信号処理部からの選択指示に基づいて、前記第１電源回路からの装置内電源と前記第２電源回路からの装置内電源との内のいずれかの装置内電源を選択する手段を有することを特徴とする。
【００１５】
【発明の実施の形態】
次に、本発明の実施の形態について図面を参照して詳細に説明する。
【００１６】
図１は、本発明の実施形態の構成ブロック図である。
【００１７】
図１を参照して、本発明による実施形態のインタフェースシステムは、通信端末であるパーソナルコンピュータ２０１と、ＵＳＢ（Ｕｎｉｖｅｒｓａｌ  Ｓｅｒｉａｌ  Ｂｕｓ）ケーブル１４０を含むＵＳＢインタフェースでパーソナルコンピュータ２０１を接続する端末側第１ＡＤＳＬインタフェース装置１０１と、端末側第１ＡＤＳＬインタフェース装置１０１に商用電源を供給する主電源１１０と、交換機に備わる交換機側第２ＡＤＳＬインタフェース装置３０１と、端末側第１ＡＤＳＬインタフェース装置１０１と交換機側第２ＡＤＳＬインタフェース装置２０１とを接続するＡＤＳＬ（Ａｓｙｍｍｅｔｒｉｃ  Ｄｉｇｉｔａｌ  Ｓｕｂｓｃｒｉｂｅｒ  Ｌｉｎｅ）回線１５０とを有して構成される。
【００１８】
端末側第１ＡＤＳＬインタフェース装置１０１は、デジタル信号処理部１０２と、記憶部１０３と、アナログ信号処理部１０４と、回線駆動部１０５と、回線インタフェース部１０６と、第１電源回路１０７と、第２電源回路１０８と、電源選択部１０９と、パソコンインタフェース部１２０とを有して構成される。
【００１９】
デジタル信号処理部１０２は、端末側第１ＡＤＳＬインタフェース装置１０１内の制御を司る機能と、ＡＤＳＬ回線１５０上で交換機側第２ＡＤＳＬインタフェース装置３０１とリンク接続（リンクアップ）する機能と、パーソナルコンピュータ２０１およびアナログ信号処理部１０４とデジタル信号をやり取りする機能と、第１電源回路１０７と第２電源回路１０８の状態を監視し、第１電源回路１０７と第２電源回路１０８のうちのいずれかを選択するよう電源選択部１０９に選択指示を送る機能を有する。
【００２０】
記憶部１０３は、デジタル信号処理部１０２がＡＤＳＬ回線１５０上で交換機側第２ＡＤＳＬインタフェース装置３０１とリンク接続（リンクアップ）するための接続手順を記憶するとともに、リンク接続されたときのリンク伝送速度を記憶する。
【００２１】
アナログ信号処理部１０４は、ＡＤＳＬ回線１５０からのＡＤＳＬ信号をデジタル信号にＡＤ（アナログ−デジタル）変換し、このデジタル信号をデジタル信号処理部１０２に送る機能と、デジタル信号処理部１０２からのデジタル信号からＡＤＳＬ信号にＤＡ（デジタル−アナログ）変換し、このＡＤＳＬ信号を回線駆動部１０５に送る機能と、ＡＤＳＬ信号のゲイン調整機能と、ＡＤＳＬ信号の低域フィルタ機能を有する。
【００２２】
回線駆動部１０５は、アナログ信号処理部１０４からの送信データを含むＡＤＳＬ信号を回線インタフェース部１０６に出力する。
【００２３】
回線インタフェース部１０６は、ＡＤＳＬ回線１５０に適した信号に変換する回線トランスフォーマと、内部回路を保護するための保護回路を有し、ＡＤＳＬ回線１５０を介してＡＤＳＬ信号の送受信をする。
【００２４】
パソコンインタフェース部１２０は、ＵＳＢインタフェースを有し、給電のための線路とデジタル信号を運ぶ線路とから構成されるＵＳＢケーブル１４０によりパーソナルコンピュータ２０１とインタフェースし、パーソナルコンピュータ２０１と送受信するデジタル信号をデジタル信号処理部１０２に中継するとともに、パーソナルコンピュータ２０１からの電源を第１電源回路１０７に給電する。
【００２５】
第１電源回路１０７は、パーソナルコンピュータ２０１からパソコンインタフェース部１２０を介して給電される電源を使用して端末側第１ＡＤＳＬインタフェース装置１０１内部で使用する電源を生成し、この生成された電源を電源選択部１０９に出力する。
【００２６】
第２電源回路１０８は、主電源１１０から供給される電源を使用して端末側第１ＡＤＳＬインタフェース装置１０１内部で使用する電源を生成し、この生成された電源を電源選択部１０９に出力する。
【００２７】
電源選択部１０９は、デジタル信号処理部１０２からの選択指示により、第１電源回路１０７からの電源と第２電源回路１０８からのの電源との内のいずれかの電源を選択し、この選択された電源を、端末側第１ＡＤＳＬインタフェース装置１０１を構成する構成部の各々に供給する。
【００２８】
交換機側第２ＡＤＳＬインタフェース装置３０１は、ＡＤＳＬ回線１５０を介して端末側第１ＡＤＳＬインタフェース装置１０１とＡＤＳＬ信号を送受信する。
【００２９】
次に、本発明の実施形態の動作について図面を参照して詳細に説明する。
＜パーソナルコンピュータのみからの電源供給＞
まず、主電源１１０から端末側第１ＡＤＳＬインタフェース装置１０１に電源が供給されないで、パーソナルコンピュータ２０１から電源が供給される動作を説明する。
【００３０】
図１を参照して、主電源１１０から端末側第１ＡＤＳＬインタフェース装置１０１に電源が供給されていないとき、パーソナルコンピュータ２０１と端末側第１ＡＤＳＬインタフェース装置１０１のパソコンインタフェース部１２０とがＵＳＢケーブル１４０で接続されると、第１電源回路１０７は、パーソナルコンピュータ２０１から供給される電源を用いて端末側第１ＡＤＳＬインタフェース装置１０１を構成する構成部に給電するための電源を生成しこの生成された電源を電源選択部１０９に出力する。
【００３１】
第２電源回路１０８は、主電源１１０から電源が供給されていないため、電源選択部１０９に何も出力しない。
【００３２】
電源選択部１０９は、第１電源回路１０７からの電源を選択し、端末側第１ＡＤＳＬインタフェース装置１０１を構成する構成部の各々に電源を供給する。
【００３３】
デジタル信号処理部１０２は、記憶部１０３に記憶されている接続手順に基づいて、交換機側第２ＡＤＳＬインタフェース装置２０１とリンク接続するためのネゴシエーションを行う。
【００３４】
すなわち、デジタル信号処理部１０２は、ネゴシエーションの為のネゴシエーション信号を、アナログ信号処理部１０４に送る。
【００３５】
アナログ信号処理部１０４は、このネゴシエーション信号をＤＡ変換し回線駆動部１０５に送る。
【００３６】
回線駆動部１０５は、アナログ信号処理部１０４からのＤＡ変換されたネゴシエーション信号を回線インタフェース部１０６に送る。
【００３７】
回線インタフェース部１０６は、ＡＤＳＬ回線１５０を介して、このネゴシエーション信号を交換機側第２ＡＤＳＬインタフェース装置２０１に送信する。
【００３８】
一方、交換機側第２ＡＤＳＬインタフェース装置２０１は、ＡＤＳＬ回線１５０を介して、ネゴシエーション信号を端末側第１ＡＤＳＬインタフェース装置１０１に送信する。
【００３９】
端末側第１ＡＤＳＬインタフェース装置１０１の回線インタフェース部１０６は、交換機側第２ＡＤＳＬインタフェース装置２０１からのネゴシエーション信号を受信してアナログ信号処理部１０４に送る。
【００４０】
アナログ信号処理部１０４は、このネゴシエーション信号をＡＤ変換し、デジタル信号処理部１０２に送る。
このようなネゴシエーション信号の送受信により、端末側第１ＡＤＳＬインタフェース装置１０１と交換機側第２ＡＤＳＬインタフェース装置２０１とは、ネゴシエーションをし、リンク接続を完了する。
【００４１】
リンク接続が完了すると、端末側第１ＡＤＳＬインタフェース装置１０１のデジタル信号処理部１０２は、パソコンインタフェース１２０を介してパーソナルコンピュータ２０１にリンク接続が完了した旨を含む状態情報を送る。この状態情報は、リンクの伝送速度を含む。
【００４２】
パーソナルコンピュータ２０１は、デジタル信号処理部１０２から状態情報を受けて、リンク接続の可否と伝送速度を認識する。
＜主電源のみからの電源供給＞
次に、主電源１１０から端末側第１ＡＤＳＬインタフェース装置１０１に電源が供給されていて、パーソナルコンピュータ２０１と端末側第１ＡＤＳＬインタフェース装置１０１のパソコンインタフェース１２０がＵＳＢケーブル１４０で接続されていない場合の動作を説明する。
【００４３】
図１を参照して、第２電源回路１０８は、主電源１１０から電源が供給されると、この電源を用いて端末側第１ＡＤＳＬインタフェース装置１０１内の各構成部の電源を生成しこの電源を電源選択部１０９に出力する。
【００４４】
一方、第１電源回路１０７は、パーソナルコンピュータ２０１から電源供給がないため電源選択部１０９には何も出力しない。
【００４５】
電源選択部１０９は、第２電源回路１０８からの電源を選択し、この電源を端末側第１ＡＤＳＬインタフェース装置１０１の各構成部に供給する。
【００４６】
以後、リンク接続のため、端末側第１ＡＤＳＬインタフェース装置１０１は、＜パーソナルコンピュータのみからの電源供給＞の項で述べたリンク接続の動作と同じ動作を行う。
＜主電源とパーソナルコンピュータとからの電源の選択＞
図２は、電源の選択動作フローチャートである。
【００４７】
主電源１１０から端末側第１ＡＤＳＬインタフェース装置１０１に電源が供給され、次に、パーソナルコンピュータ２０１と端末側第１ＡＤＳＬインタフェース装置１０１のパソコンインタフェース１２０がＵＳＢケーブル１４０で接続された場合の動作を説明する。
【００４８】
図２を参照して、端末側第１ＡＤＳＬインタフェース装置１０１は、最初、主電源１１０による第２電源回路１０８からの電源が選択されて供給され（ステップＳ１０）、デジタル信号処理部１０２は、リンク接続を実行する（ステップＳ１１）。このとき、デジタル信号処理部１０２は、主電源１１０を用いてリンク接続した時のリンクの伝送速度（以降、第２伝送速度）を記憶部１０３に記憶する（ステップＳ１２）。
【００４９】
次に、パーソナルコンピュータ２０１が端末側第１ＡＤＳＬインタフェース装置１０１に接続されると、パーソナルコンピュータ２０１は、ＵＳＢケーブル１４０を介して電源を第１電源回路１０７に供給する（ステップＳ１３）。
【００５０】
このとき、第１電源回路１０７は、主電源１１０を利用して電源を生成し、第２電源回路１０８は、パーソナルコンピュータ２０１を利用して電源を生成している。
【００５１】
次に、デジタル信号処理部１０２は、第１電源回路１０７と第２電源回路１０８の状態を調べ、第１電源回路１０７と第２電源回路１０８との両者が電源を生成していることを認識する。
【００５２】
そして、第２電源回路１０８が電源を生成していることを認識したデジタル信号処理部１０２は、使用電源回路を切り替える指示である電源回路切替指示を電源選択部１０９に送る。
【００５３】
電源選択部１０９は、電源回路切替指示を受けると、端末側第１ＡＤＳＬインタフェース装置１０１内で使用する電源を第２電源回路１０８から第１電源回路１０７に切り替える（ステップＳ１３）。
【００５４】
デジタル信号処理部１０２は、電源選択部１０９の状態を調べ、第２電源回路１０８から第１電源回路に切り替わったことを確認すると、再度、リンク接続の動作を行う（ステップＳ１５）。このとき、デジタル信号処理部１０２は、第１電源回路を用いてリンク接続した時のリンクの伝送速度（以降、第１伝送速度）を記憶部１０３に記憶する（ステップＳ１６）。ここで、リンクの第１伝送速度は、パーソナルコンピュータ２０１に依存する伝送速度で、主電源１１０を用いてリンク接続した時のリンクの第２伝送速度とは異なる。
【００５５】
次に、デジタル信号処理部１０２は、記憶部１０３を参照して、パーソナルコンピュータ２０１からの第１電源回路１０１でリンク接続した時のリンクの第１伝送速度と、主電源１１０からの第２電源回路１０８でリンク接続した時のリンクの第２伝送速度とを比較し（ステップＳ１７）、第１伝送速度と第２伝送速度の内どちらの伝送速度が高いかを判断する。
【００５６】
そして、デジタル信号処理部１０２は、より高い伝送速度でリンク接続できる電源回路を選択するよう電源選択部１０９に電源回路切替指示を送る。
【００５７】
たとえば、第１伝送速度が、第２伝送速度より高いとき（ステップＳ１７でハイ）、デジタル信号処理部１０２は、第１電源回路１０７を選択する（ステップＳ１８）よう電源選択部１０９に指示する。
【００５８】
一方、第２伝送速度が、第１伝送速度より高いとき（ステップＳ１７でイイエ）、デジタル信号処理部１０２は、第２電源回路１０８を選択する（ステップＳ１９）よう電源選択部１０９に指示する。
【００５９】
電源選択部１０９は、デジタル信号処理部１０２からの電源回路切替指示に基づいて、第１電源回路１０７と第２電源回路１０８とのうちのいづれかに切替え選択する。
【００６０】
【発明の効果】
以上説明したように、本発明は、端末側第１ＡＤＳＬインタフェース装置が交換機側第２ＡＤＳＬインタフェース装置とリンク接続する際に、パーソナルコンピュータからの電源と主電源とから成る複数電源の各々によるリンク伝送速度を比較し、リンク伝送速度をより高くとれる電源を選択するよう構成されているので、１種類の電源のみで決められるリンク伝送速度に制限されずに、安定した、より高い伝送速度でインタフェース間の通信が行えるという効果を得ることができる。
【００６１】
また、本発明は、パーソナルコンピュータを使わずに、主電源からの電源供給によりリンク接続ができるよう構成されているので、フィールドで障害時、パーソナルコンピュータと端末側第１ＡＤＳＬインタフェース装置とを切り分けしての障害評価が容易になり、保守の時間を短縮できるという効果を得ることができる。
【図面の簡単な説明】
【図１】本発明の実施形態の構成ブロック図である。
【図２】電源の選択動作フローチャートである。
【符号の説明】
１０１    第１ＡＤＳＬインタフェース装置
１０２    デジタル信号処理部
１０３    記憶部
１０４    アナログ信号処理部
１０５    回線駆動部
１０６    回線インタフェース部
１０７    第１電源回路
１０８    第２電源回路
１０９    電源選択部
１２０    パソコンインタフェース部
１４０    ＵＳＢケーブル
１５０    ＡＤＳＬ回線
２０１    パーソナルコンピュータ
３０１    第２ＡＤＳＬインタフェース装置
【図１】
2004289258.tif 000003
【図２】
2004289258.tif 000004